(57)【要約】    【課題】  形状的に区別がつかないコイン状の非接触式ＩＣトークン等を券媒体として使用したときに、一目で容易に券種が見分けられる券媒体を提供する。また、この券媒体の処理装置を提供する。    【解決手段】  非接触式ＩＣトークン１のコイン状のトークン本体２の外表面に、変色温度特性がヒステリシス特性を示す感温変色インクで形成した変色部３を形成し、加熱処理により変色部３が変色し、冷却処理により変色部３が元の色に戻る構成の券媒体とした。また、券媒体の変色部３を変色処理するためのホットスタンプ処理部を備える券媒体処理装置とした。【選択図】  図１
2006127257.tif 000002
【特許請求の範囲】
【請求項１】
外表面の少なくとも一部が、変色処理によって可逆的に変色可能な構成としたことを特徴とする券媒体。
【請求項２】
変色処理によって可逆的に変色可能な変色材料を含有した成形材で、少なくとも一部を形成する構成とした請求項１に記載の券媒体。
【請求項３】
外表面の少なくとも一部に、変色処理によって可逆的に変色可能な変色材料で形成した変色部を設けて構成した請求項１に記載の券媒体。
【請求項４】
前記変色材料が、温度に応じて可逆的に変色する感温材料である請求項２又は３に記載の券媒体。
【請求項５】
外表面に、互いに変色温度特性が異なる前記感温材料を用いて複数の変色領域を形成する構成とした請求項４に記載の券媒体。
【請求項６】
前記感温材料が、感温変色インクである請求項４又は５に記載の券媒体。
【請求項７】
データを記録可能な記録媒体の機能を備える請求項１〜６のいずれか１つに記載の券媒体。
【請求項８】
コイン状の非接触式ＩＣトークンである請求項７に記載の券媒体。
【請求項９】
請求項１〜８のいずれか１つに記載の券媒体を変色処理する変色処理部を備えた券媒体処理装置。
【請求項１０】
利用者が券種の選択操作を行う券種選択部と、
選択された券種データを前記券媒体に記録するデータ記録部と、
選択された券種の料金精算処理を行う精算処理部と、
料金精算完了後、券種データの記録された前記券媒体を当該券種データに応じた色に変色処理する前記変色処理部と、
変色処理した券媒体を発行する券媒体発行部と、
を備えて構成した請求項９に記載の券媒体処理装置。
【請求項１１】
前記変色処理部は、前記データ記録部によりデータ記録する以前の券媒体に記録されている前回券種データを読取り、前回券種データが、今回選択された券種と同一のときは変色処理を行わず、今回選択された券種と異なるときは今回の券種データに応じた色に変色処理する構成である請求項１０に記載の券媒体処理装置。
【請求項１２】
収納された券媒体を同色に変色処理して券媒体の発行に備える構成とした請求項１０に記載の券媒体処理装置。
【請求項１３】
券媒体挿入部と、
挿入された券媒体に記録されているデータを読取るデータ読取り部と、
該データ読取り部が読取った金銭的価値データの残量値に応じた色に券媒体を変色処理する前記変色処理部と、
を備えて構成した請求項９に記載の券媒体処理装置。
【請求項１４】
前記変色処理部は、券媒体にスタンプ処理する構成である請求項９〜１３のいずれか１つに記載の券媒体処理装置。
【発明の詳細な説明】
【技術分野】
【０００１】
本発明は、乗車券や入場券等の種々の券類に使用可能な券媒体及びこの券媒体を処理する券媒体処理装置に関し、特に、券の種類や金銭的価値情報等が外部から一目で容易に確認できるようにした券媒体及びこの券媒体を処理するための券媒体処理装置に関する。
【背景技術】
【０００２】
例えば、鉄道交通等において、近年、利用者の利便性を高めるために、非接触式ＩＣカードを利用して非接触で自動改札が行える非接触式自動改札システムが実用化されている。ところで、非接触式ＩＣカードは、磁気券に比べて製造コストが高く、一日乗車券や回数券等の比較的短期間で使用される短期使用券に用いるには、運用コストがかさんで現実的でない。そこで、非接触式短期使用券等に好適な券媒体として本出願人によりコイン状の非接触式ＩＣトークン（以下、ＩＣトークンとする）が提案されている（例えば、特許文献１参照）。
【０００３】
ＩＣトークンは、コイン状のトークン本体にアンテナとＩＣを組込んだ、非接触式ＩＣカードと同様の無線通信機能を備えるもので、トークン処理機（非接触式の自動改札機や自動精算機等）からの電力波をアンテナで受信して動作し、トークン処理機との間で無線により非接触でデータを交信できる。
【特許文献１】特開２００３−１４１５７９号公報
【発明の開示】
【発明が解決しようとする課題】
【０００４】
しかしながら、従来のＩＣトークンは、券種（例えば大人券、子供券、乗車券、特急券）等の情報はＩＣ内に記録できるが外見は同じ色にしているため、発行した後は外見上見分けがつかず、例えば大人が子供券を購入し決済するような不正を見つけることが難しいという問題がある。
【０００５】
このようなＩＣトークン等、券の種類や金銭的価値情報等が外見上見分けが難しい券媒体における上記のような不正問題を解消するために、例えば食堂等で注文品に応じてプラスチック製の食券を色分けしているように、券種に応じて色の異なる券媒体を予め用意して発行することが考えられるが、この場合、発行機内に予め色別に分別して券媒体を収納しなければならず手間がかかる。また、券媒体をリサイクル使用する場合には、分別回収したり、或いは、回収後に分別作業したりする必要がある。
【０００６】
本発明は上記問題点に着目してなされたもので、券の種類や金銭的価値情報等が外部から一目で容易に確認でき、しかも、リサイクル使用する場合等において分別作業の必要がない券媒体を提供することを目的とする。また、この券媒体を処理するための券媒体処理装置を提供することを目的とする。
【課題を解決するための手段】
【０００７】
このため、請求項１の発明の券媒体は、外表面の少なくとも一部が、変色処理によって可逆的に変色可能な構成とした。
かかる構成では、券媒体に対して変色処理すると、券媒体の外表面の少なくとも一部が変色するようになる。これにより、券種や金銭的価値情報等によって券媒体を色分けできるようになる。また、変色後に変色処理で可逆的に元の色に戻すことができる。
【０００８】
本発明の券媒体は、請求項２のように、変色処理によって可逆的に変色可能な変色材料を含有した成形材で、少なくとも一部を形成する構成としてもよく、請求項３のように、外表面の少なくとも一部に、変色処理によって可逆的に変色可能な変色材料で形成した変色部を設けて構成してもよい。
【０００９】
請求項４のように、前記変色材料は、温度に応じて可逆的に変色する感温材料とするとよい。
請求項５のように、外表面に、互いに変色温度特性が異なる前記感温材料を用いて複数の変色領域を形成する構成とするとよい。
請求項６のように、前記感温材料を、感温変色インクとするとよい。
【００１０】
券媒体は、請求項７のように、データを記録可能な記録媒体の機能を備える構成とするとよい。この場合、例えば、請求項８のように、コイン状の非接触式ＩＣトークンとするとよい。
【００１１】
請求項９の発明の券媒体処理装置は、請求項１〜８のいずれか１つに記載の券媒体を変色処理する変色処理部を備える構成とした。
請求項９の券媒体処理装置において、請求項１０のように、利用者が券種の選択操作を行う券種選択部と、選択された券種データを前記券媒体に記録するデータ記録部と、選択された券種の料金精算処理を行う精算処理部と、料金精算完了後、券種データの記録された前記券媒体を当該券種データに応じた色に変色処理する前記変色処理部と、変色処理した券媒体を発行する券媒体発行部と、を備えて構成するとよい。
【００１２】
かかる構成では、利用者が券種選択部で券種の選択操作を行うと、データ記録部が選択された券種データを券媒体に記録する。精算処理部は、選択された券種データの精算処理を実行し、選択された券種データの金額相当の金銭が投入されると精算完了とする。料金の精算が完了すると、変色処理は、券種データの記録された券媒体を券種データに応じた色に変色処理し、券媒体発行部が変色処理した券媒体を発行する。
【００１３】
請求項１０の構成において、請求項１１のように、前記変色処理部は、前記データ記録部によりデータ記録する以前の券媒体に記録されている前回券種データを読取り、前回券種データが、今回選択された券種と同一のときは変色処理を行わず、今回選択された券種と異なるときは今回の券種データに応じた色に変色処理する構成とするとよい。また、請求項１１のように、収納された券媒体を同色に変色処理して券媒体の発行に備える構成としてもよい。
【００１４】
また、請求項９の発明の券媒体処理装置において、請求項１３のように、券媒体挿入部と、挿入された券媒体に記録されているデータを読取るデータ読取り部と、該データ読取り部が読取った金銭的価値データの残量値に応じた色に券媒体を変色処理する前記変色処理部と、を備えて構成するとよい。
かかる構成では、券媒体挿入部に券媒体が挿入されと、データ読取り部は挿入された券媒体の記録データを読取る。変色処理部は読取った金銭的価値データの残量値に応じた色に券媒体を変色処理する。
請求項１４のように、前記変色処理部が、券媒体にスタンプ処理する構成とするとよい。
【発明の効果】
【００１５】
以上説明したように本発明の券媒体によれば、券媒体の券種や金銭的価値情報等を変色部の色によって見分けることが可能となる。従って、外見上見分けのつかない券媒体の不正使用を抑制できる。また、リサイクルする場合に、券媒体の変色部を変色処理によって一括して容易に元の色に戻せるので、券媒体を色別に分別回収したり回収後に分別作業したりする必要がなく、券媒体の回収の手間を従来の券媒体と比較して格段に簡素化できる。
また、券媒体の一部分を変色処理するようにすれば、正規の変色処理と同じように変色させることは難しく、利用者が故意に変色処理するような不正の抑制効果をより一層高めることができる。
【００１６】
本発明の券媒体処理装置によれば、本発明の券媒体の少なくとも一部を券種や金銭的価値情報に応じた色に変色処理して発行することができる。
【発明を実施するための最良の形態】
【００１７】
以下、本発明の実施形態を図面に基づいて説明する。
図１は、本発明に係る券媒体の第１実施形態の平面図を示し、図２は側面図を示し、図３は、本実施形態の内部電気回路の構成図を示す。
図において、本実施形態の券媒体として例えば非接触式ＩＣトークン（以下、ＩＣトークンとする）１は、券媒体本体としてのコイン状のトークン本体２の外表面の表裏両面に、後述する本発明の券媒体処理装置の変色処理によって可逆的に変色可能な変色部材で形成された例えば円形状の変色部３を備える。
【００１８】
前記トークン本体２は、例えば樹脂によりコイン状に加工成形され、内部に電気回路部４を備え、非接触式ＩＣカードと同様に無線により外部と非接触で情報を交信できるものである。前記電気回路部４は、図３に示すようにアンテナ１１とＩＣチップ１２とを備える。前記ＩＣチップ１２は、アンテナ１１に接続する通信制御部１３と、Ｉ／Ｏユニット１４と、Ｉ／Ｏユニット１４を介して無線通信部１３と接続するＣＰＵ１５と、ＩＣトークン１の券種情報或いは金銭的価値情報等のトークンデータを記憶するメモリ１６と、アンテナ１１を介して外部から受信した電力波によりトークン本体２の駆動電力を生成する電力生成回路１７とを備える。従って、本実施形態のＩＣトークン１は、データの記録が可能な記録媒体としての機能を備える。
【００１９】
前記変色部３は、前記変色部材として例えば温度に応じて可逆的に変色する感温部材である例えば感温変色インクを、トークン本体２表面に薄いフィルム状に例えば印刷して形成する。前記感温変色インクは、例えば特開２００１−１７２５３５号公報等に記載された従来公知のもので、熱変色性組成物を内包させたマイクロカプセルをバインダー樹脂を含む水性媒体中に分散させたものである。そして、本実施形態で使用する感温変色インクは、変色温度特性として、図４に示すように温度を上昇させていった時の変色点温度ｔ２と、温度を降下させていった時の変色点温度ｔ１（ｔ１＜ｔ２）とが異なるヒステリシス特性を示し、ｔ１以下の温度域の第１の色とｔ２以上の温度域の第２の色がｔ１〜ｔ２の間で維持される。
【００２０】
次に、本実施形態のＩＣトークン１の使用例について説明する。
本実施形態のＩＣトークン１を、例えば有料施設の入場券に利用し、券種（例えば大人券と子供券）によって発行時に色分けするようにする。例えば、ＩＣトークン１の変色部３を第１の色にして券売機にＩＣトークン１を収納しておく。この状態で、利用者が券売機で大人券を購入したときは、ＩＣトークン１のＩＣ１２に大人券であることを示すデータを記録し、券売機に備えた変色処理部で、変色部３を図４のｔ２以上の温度に加熱する変色処理をして変色部３を第２の色に変色させて発行する。また、利用者が子供券を購入したときは、ＩＣトークン１のＩＣ１２に子供券であることを示すデータを記録し、変色処理部による変色処理を行わず変色部３が第１の色のＩＣトークン１をそのまま発行する。
【００２１】
このように券種によりＩＣトークン１を色分けすれば、発行後もＩＣトークン１が大人券か子供券かを外見から一目で容易に判断できるようになる。従って、従来、外見では見分けがつかないコイン状のＩＣトークン１を券媒体として利用しても、例えば大人が子供券を購入し入場するような不正を抑制できるようになる。
【００２２】
また、ＩＣトークン１をリサイクル使用する場合、大人券や子供券として発行した変色部３の色が異なるＩＣトークン１を混在して回収した後、発券前に、図４のｔ１以下の温度に冷却する変色処理をして、全てのＩＣトークン１の変色部３を第１の色に統一すればよい。従って、発行したＩＣトークン１を回収する際に、色別に分別回収したり回収後に色別に分別したりする必要がなく、ＩＣトークン１の回収の手間を従来に比較して格段に簡素化できる。
【００２３】
また、変色部３の変色処理として、変色部３の一部分、例えば図１に斜線で示す変色部３の中央領域だけを変色処理するようにすれば、利用者が故意に加熱して変色部３を変色させて券種を偽るような不正をしようとしても、変色部３の中央領域だけを正規の変色処理と同じように変色させることは難しく、斜線領域の周囲も変色してしまうので、上記のような不正を防止できる。特に、変色部３の変色処理として、図１の斜線領域に、例えば大人券であれば「大」、子供券であれば「小」の文字等を刻印するホットスタンプ処理を採用すれば、より一層上述の不正の防止効果を高めることができる。
【００２４】
また、変色部３を感温変色インクで形成すれば、単純な加熱・冷却処理により可逆的に変色でき、変色に際して複雑な温度制御が不要で変色処理が容易である。
【００２５】
図５に、本発明の券媒体の第２実施形態を示し説明する。
図５において、本実施形態の券媒体としてのＩＣトークン２０は、トークン本体２１の外表面の表裏両面に、変色温度特性が異なる感温変色インクで形成した複数、例えば２つの変色部２２，２３を形成して構成する。尚、トークン本体２１は、上述したトークン本体２と同様の構成とする。
【００２６】
そして、前記変色部２２は、図４に示す変色温度特性を有する第１実施形態と同じ感温変色インクで形成し、変色部２３は、変色部２２の第１の色と第２の色とはそれぞれ異なる色の第３の色と第４の色に可逆的に変色し図６に示すように変色点温度がｔ３、ｔ４（ｔ１＜ｔ３＜ｔ２＜ｔ４）の変色温度特性を有する感温変色インクで形成する。
【００２７】
本実施形態のＩＣトークン２０では、例えば、ＩＣトークン２０の変色部２２を第１の色、変色部２３を第３の色にして券売機にＩＣトークン２０を収納しておく。この状態から、ｔ２〜ｔ４の範囲内の温度まで加熱する変色処理をすれば変色部２２が第２の色、変色部２３が第３の色の組み合わせとなり、ｔ４以上の温度まで加熱する変色処理をすれば変色部２２が第２の色、変色部２３が第４の色の組み合わせとなり、３種類の色分けが可能となる。即ち、３種類の券種を色分けして発行することが可能となる。尚、ｔ２〜ｔ４の範囲内の温度まで加熱する変色処理をしたものはｔ１以下の温度までは変色後の状態が維持され、ｔ４以上の温度まで加熱する変色処理をしたものはｔ３以下の温度までは変色後の状態が維持され、ｔ１以下になると収納時の色状態に復帰する。
【００２８】
かかる第２実施形態の構成によれば、色の組み合わせが増えるので、色分けできる券種の種類を増やすことができる。尚、トークン本体２１に形成する、変色温度特性及び変色する色が互いに異なる変色部の数は、２つに限るものではなく、数を多くすることで色分けできる券種を増やすことができることは言うまでもない。
【００２９】
上記各実施形態では、券媒体（券媒体本体）としてコイン状の非接触式ＩＣトークンの例を説明したが、券媒体（券媒体本体）は、カード状、タグ状等どのような形状のものでもよい。券媒体本体も、ＩＣ内蔵のものに限らずデータを磁気記録するものでもよく、データの記録機能がないものでもよい。
【００３０】
また、変色部は、感温変色インクに限らず、例えばコレステリック液晶やロイコ染料を用いて形成してもよく、これらを用いる場合は、これらの各変色原理に応じた変色処理を行うことは言うまでもない。また、変色部は、券媒体の表裏面のいずれか一方だけに設けてもよく、また、必ずしも表裏面の全面に設ける必要はない。
【００３１】
また、上記各実施形態では、券媒体本体外表面に変色処理によって可逆的に変色可能な変色材料により変色部を形成する構成としたが、券媒体本体或いはその一部を、前記変色材料を含有した成形材で形成し、券媒体本体自体が可逆的に変色する構成としてもよい。
【００３２】
上記実施形態では、本発明に係る券媒体を入場券に適用した例について説明したが、例えばテレホンカードや電子マネー機能を備えたカード等にも適用できる。
例えば、テレホンカードの場合は、図７に示すようにカード３０の表面に残量度数の表示部として変色部３１を設け、残量度数に対応する位置を、現状の穿孔に代えて例えば図の斜線で示すように円形状に変色処理して変色させるようにする。これにより、現状と同様、カードの残量度数を知ることができる。かかるテレホンカードでは、使用済みのテレホンカードの変色部を変色処理すれば、使用前の状態に戻すことができるので、テレホンカードのリサイクルが可能になる。また、電子マネー機能を備えたカードの場合は、図８のように、カード４０の適所、例えば隅等に残金表示部として変色部４１を設け、例えば残金が所定値以下になると変色部を変色処理して知らせるようにする。これにより、現在の残金の状態をいつでも把握できるようになる。
このように、本発明の券媒体によれば、券媒体に記録されている残量度数や残金等の金銭的価値情報を外部から目視で確認できるようにすることが可能となる。
【００３３】
次に、上述した本発明の券媒体を処理するための本発明に係る券媒体処理装置について説明する。
図９は、本発明の券媒体処理装置の第１実施形態を示す構成図であり、券売機に適用した例である。
図９において、本実施形態の券売機１００は、利用者の購入要求に応じた券種のＩＣトークンを発行するもので、タッチパネル入力部１０１と、金銭処理ユニット１０２と、ホッパー部１０３と、ＩＣデータ処理部１０４と、ホットスタンプ処理部１０５と、トークン発行処理部１０６と、料金表示部１０７と、リサイクル処理部１０８と、中央処理部１０９と、を含んで構成されている。
【００３４】
前記タッチパネル入力部１０１は、利用者が券種の選択操作を行うもので、券種選択部に相当する。
前記金銭処理ユニット１０２は、購入券の料金精算時に投入された紙幣や硬貨を受け付けて計数処理し、釣銭があれば釣銭を返却するものである。
前記ホッパー部１０３は、発行前の券媒体であるＩＣトークンを収納しておくものである。
【００３５】
前記ＩＣデータ処理部１０４は、発行するＩＣトークンに内蔵されたＩＣに券種データを無線により非接触で記録するもので、データ記録部に相当する。
前記ホットスタンプ処理部１０５は、発行するＩＣトークンの変色部を券種に応じた色に変色処理するもので、変色処理部に相当する。
前記トークン発行処理部１０６は、発行するＩＣトークンを発行口まで搬送処理するものであり、券媒体発行部に相当する。
前記料金表示部１０７は、料金精算時に購入された券種の料金を表示するものである。
【００３６】
前記リサイクル処理部１０８は、回収されたＩＣトークンをホッパー部１３に収納したときに、ＩＣトークンの変色部を所定温度以下（例えば、変色部が図４の変色温度特性を有する温感材料で形成されている場合は、ｔ１以下の温度）まで冷却処理して全てのＩＣトークンの変色部を同色に変色処理するものである。
前記中央処理部１０９は、タッチパネル入力部１０１からの入力情報に基づいて、金銭処理ユニット１０２、ホッパー部１０３、ＩＣデータ処理部１０４、ホットスタンプ処理部１０５、トークン発行処理部１０６及び料金表示部１０７の各動作を統括的に制御すると共に、トークンがホッパー部１０３に収納されたときにリサイクル処理部１０８の動作を制御するもので、例えばマイクロコンピュータ等で構成される。
【００３７】
次に、図１０のフローチャートを参照して第１実施形態の券売機１００の券発行動作を説明する。
ステップ１（図中、Ｓ１で示し、以下同様とする）では、タッチパネル入力部１０１が操作されるまで待機し、利用者がタッチパネル入力部１０１で券種の選択操作を行うと、その選択情報の入力により判定がＹＥＳとなり、ステップ２に進む。
ステップ２では、選択された券種、例えば大人券か子供券かを判定し、大人券であればステップ３に進む。
【００３８】
ステップ３では、選択された大人券の金額を料金表示部１０７に表示する。
ステップ４では、料金表示部１０７に表示した金額が支払われたか否かを判定する。表示金額以上の金銭が投入されて支払いが完了すると、ステップ５に進む。
ステップ５では、釣銭があるか否かを判定し、釣銭があればステップ６に進み釣銭の返却処理を実行し、釣銭がなければステップ６を飛び越してステップ７に進む。
ステップ７では、ホッパー部１０３からＩＣトークンを排出し、搬送経路途中に配置したＩＣデータ処理部１０４により、そのＩＣトークンのＩＣに大人券を示す券種データを書込み処理して記録する。
ステップ８では、同じく搬送経路途中に配置したホットスタンプ処理部１０５により、ＩＣトークン表面の変色部を加熱して変色させる。
ステップ９では、トークン発行処理部１０６により、変色処理したＩＣトークンを発行口まで搬送し排出する。
【００３９】
ステップ２で、子供券と判定した場合は、ステップ１０に進み、大人券の場合と同様に子供券の金額を料金表示部１０７に表示し、ステップ１１で、表示金額が支払われたか否かを判定し、支払いが完了すれば、ステップ１２で釣銭の有無を判定し、釣銭があればステップ１３に進み釣銭返却処理を実行し、釣銭がなければステップ１３を飛び越してステップ１４に進み、ホッパー部１０３からＩＣトークンを排出し、ＩＣデータ処理部１０４によりＩＣトークンのＩＣに子供券を示す券種データを書込み処理して記録する。そして、子供券の場合はＩＣトークンの変色部に対するホットスタンプ処理を行わずに、ステップ９に進みＩＣトークンを発行口から排出する。
【００４０】
かかる券売機１００によれば、券種別に変色部を色分けしてＩＣトークンを発行することができ、ＩＣトークンの券種を見分けることができる。
【００４１】
尚、トークンを回収し収納したときは、回収したトークンをホッパー部１０３に収納したことを、例えば図示しない収納検知センサ等で検知すると、ＩＣトークンをリサイクル処理部１０８により、ＩＣトークンの変色部が全て同色となるよう冷却処理する。これにより、ＩＣトークンをリサイクルする場合に、券種別に分別回収したり回収後に分別作業したりする必要がない。
【００４２】
上記実施形態では、券売機１００内で回収したトークンのリサイクル処理を行う構成としたが、回収したトークンを券売機１００とは別の場所で冷却してリサイクル処理した後、券売機のホッパー部１０３に収納するようにしてもよい。
【００４３】
図１１及び図１２に、本発明の券媒体処理装置を券売機に適用した第２実施形態を示す。
図１１は、第２実施形態の券売機２００の構成図である。
図において、第２実施形態の券売機２００は、ホットスタンプ処理部１０５に代えて、加熱機能と冷却機能を併せ持つ変色処理部２０５を備える。また、リサイクル処理部１０８は不要である。その他のタッチパネル入力部２０１、金銭処理ユニット２０２、ホッパー部２０３、ＩＣデータ処理部２０４、トークン発行処理部２０６、料金表示部２０７及び中央処理部２０８の構成は第１実施形態と略同様である。
【００４４】
次に、図１２のフローチャートを参照して第２実施形態の券売機２００の券発行動作を説明する。尚、図１２のステップ２１〜２６、ステップ３１〜３４の動作は、第１実施形態のステップ１〜６、ステップ１０〜１３と同様であるので説明を省略し、以下では第１実施形態と異なる動作について説明する。
【００４５】
第２実施形態の券売機２００では、ステップ２５又はステップ２６からステップ２７に進んだ場合、ステップ２７において、ホッパー部２０３から排出されたＩＣトークンに記録されている前回の券種データを読込み、今回の券種が前回券種データと同一か否かを判定し、同一でない（判定がＮＯ）と判定された場合はステップ２８に進む。
ステップ２８では、ＩＣデータ処理部２０４により、ＩＣトークンに今回の券種である大人券を示す券種データを書込み処理して記録し、ステップ２９で、変色処理部２０５でＩＣトークンの変色部を例えば加熱処理して大人券の色に変色させた後、ステップ３０で、変色処理したＩＣトークンを発行口から排出する。一方、ステップ２７で、今回の券種が前回券種データと同一（判定がＹＥＳ）と判定された場合はステップ２８，２９を飛び越してステップ３０に進み、変色処理せずにそのまま排出する。
【００４６】
また、ステップ３３又はステップ３４からステップ３５に進んだ場合、ステップ２７と同様にして、ホッパー部２０３から排出されたＩＣトークンに記録されている前回の券種データを読込み、今回の券種が前回券種データと同一か否かを判定する。同一でない（判定がＮＯ）と判定された場合はステップ３６に進み、ＩＣトークンに今回の券種である子供券を示す券種データを書込み処理して記録し、ステップ３７で、変色処理部２０５でＩＣトークンの変色部を例えば冷却処理して子供券の色に変色させた後、ステップ３０で、変色処理したＩＣトークンを発行口から排出する。一方、ステップ３５で、今回の券種が前回券種データと同一（判定がＹＥＳ）と判定された場合はステップ３６，３７を飛び越してステップ３０に進み、変色処理せずにそのまま排出する。
【００４７】
即ち、第２実施形態の券売機２００では、今回の券種データと前回の券種データが同一であれば、発行するＩＣトークンの変色部が既に今回の券種データに応じた色に変色しているので変色処理せずに発行する。また、今回の券種データと前回の券種データが同一でなければ、発行するＩＣトークンの変色部の色が今回の券種データの色と異なっているので、今回の券種に応じた色に変色処理した後発行する。
【００４８】
かかる第２実施形態の券売機によれば、大人券と子供券が混在した状態でＩＣトークンを回収した後、そのままホッパー部２０３に収納するだけでよく、第１実施形態のようにホッパー部２０３に収納したときに、ＩＣトークンの変色部の色を同色に処理するリサイクル処理を行う必要がない。
【００４９】
次に、本発明の券媒体処理装置の第３実施形態を説明する。
第３実施形態は、前述した例えば電子マネー機能を有するカードの残高情報等を表示処理するための券媒体処理装置の例である。
図１３は、第３実施形態の券媒体処理装置の構成を示す図である。
図において、本実施形態の券媒体処理装置３００は、カード挿入部３０１と、データ処理部３０２と、変色処理部３０３と、カード搬送処理部３０４と、中央処理部３０５とを含んで構成されている。
【００５０】
前記カード挿入部３０１は、利用者が券媒体であるカードを挿入するものである。
前記データ処理部３０２は、挿入されたカードに対して金銭的価値情報等の情報を書込み読取り処理するものであり、データ読取り手段に相当する。
前記変色処理部３０３は、カード表面に設けられた変色部をデータ処理部３０２の処理結果に応じた色に変色処理するものである。
前記カード搬送処理部３０４は、挿入されたカードを取り込み搬送すると共に、処理が終わったカードをカード挿入部３０１まで搬送し排出するものである。
前記中央処理部３０５は、カードが挿入されたときに前記データ処理部３０２、変色処理部３０３及びカード搬送処理部３０４の動作を統括的に制御するもので、例えばマイクロコンピュータ等で構成される。
【００５１】
かかる券媒体処理装置３００の動作を、電子マネー機能を有するカードの残高情報の確認を例に説明する。
例えば図８に示すようにカード４０の表面に変色部４１を備えたカードを、カード挿入部３０１に挿入すると、カード搬送処理部３０４により処理装置３００内にカードを取り込み搬送し、データ処理部３０２がカードに記録されている残高情報を読取る。読取り残高が、例えば所定残高以下である場合、変色処理部３０３により変色部４１を変色処理し、カード搬送処理部３０４によりカードを搬送しカード挿入部３０１から返却する。読取り残高が、所定残高より多ければ変色処理をせずにカードを返却する。これにより、カード表面の変色部の色でカード内の残高がどの程度あるのかいつでも確認することができるようになる。
【図面の簡単な説明】
【００５２】
【図１】本発明に係る券媒体の第１実施形態を示す平面図
【図２】第１実施形態の側面図
【図３】第１実施形態の電気回路部の構成図
【図４】第１実施形態の変色部に使用する感温変色インクの変色温度特性を示す図
【図５】本発明に係る券媒体の第２実施形態を示す平面図
【図６】第２実施形態の一方の変色部に使用する感温変色インクの変色温度特性を示す図
【図７】本発明に係る券媒体の別の適用例の説明図
【図８】本発明に係る券媒体の更に別の適用例の説明図
【図９】本発明に係る券媒体処理装置の第１実施形態を示す構成図
【図１０】第１実施形態の動作を説明するフローチャート
【図１１】本発明に係る券媒体処理装置の第２実施形態を示す構成図
【図１２】第２実施形態の動作を説明するフローチャート
【図１３】本発明に係る券媒体処理装置の第３実施形態を示す構成図
【符号の説明】
【００５３】
１，２０    非接触式ＩＣトークン（券媒体）
２，２１    トークン本体
３，２２，２３，３１，４１    変色部
４    電気回路部
３０，４０    カード（券媒体）
１００，２００    券売機
１０１，２０１    タッチパネル入力部
１０２，２０２    金銭処理ユニット
１０４，２０４    ＩＣデータ処理部
１０５    ホットスタンプ処理部
１０６，２０６    トークン発行処理部
１０９，２０８，３０５    中央処理部
２０５，３０３    変色処理部
３００    券媒体処理装置
３０１    カード挿入部
３０２    データ処理部
【図１】
2006127257.tif 000003
【図２】
2006127257.tif 000004
【図３】
2006127257.tif 000005
【図４】
2006127257.tif 000006
【図５】
2006127257.tif 000007
【図６】
2006127257.tif 000008
【図７】
2006127257.tif 000009
【図８】
2006127257.tif 000010
【図９】
2006127257.tif 000011
【図１０】
2006127257.tif 000012
【図１１】
2006127257.tif 000013
【図１２】
2006127257.tif 000014
【図１３】
2006127257.tif 000015